(57)【要約】　　　（修正有）【課題】空滑りせず、静電気を防止し、外観が良く、夜間でもよく見えるドアノブの防護カバーの提供。【解決手段】防護カバーは弾性シリコーンゴム製とされ、前後の開口を具え、ドアハンドルのノブが後ろ開口より挿入されて防護カバーとノブ外部に緊合し、保護機能を形成し、該防護カバーの外表面に複数の防滑凸紋が設けられて手でノブを握持し回す時の空滑りを防止し、ノブを回す時に良好な触感を提供し冷たい感覚を発生させず、静電気を防止し且つ防護カバーの前開口の口縁に装飾線条設計があり、防護カバーとノブの組合せの全体の外観が良くされ、防護カバーの前後の開口の口縁の特定範囲面積部分のシリコーンゴム材料内に蛍光物質が含まれ、防護カバーが暗闇でも前後の開口口縁より発生する環状蛍光帯により、ノブ位置を知らせ、防護カバーの内部環状面に少なくとも一周の環状溝が設けられて防護カバーが異なる曲面のノブに套設される時に良好な伸縮性を以てノブと緊合する。【選択図】　　　　図１
0003099042.tif 000002
【実用新案登録請求の範囲】
【請求項１】
　ドアハンドルの防護カバーにおいて、該防護カバーが弾性シリコーンゴムで形成されて前後の開口を具え、ドアハンドルのノブが後ろ開口より挿入され、防護カバーがノブの外側に緊合され、保護機能を達成し、該防護カバーの外表面に複数の防滑凸紋が配設されて手でノブを握持し回す時の空滑りを防止し、防護カバーの内部環状面に少なくとも一周の環状溝が設けられて防護カバーが異なる曲面のノブに套設される時に良好な伸縮性を以てノブと緊合することを特徴とする、ドアハンドルの防護カバー。
【請求項２】
　請求項１記載のドアハンドルの防護カバーにおいて、防護カバーの前開口の口縁に装飾性を具えた装飾線条設計があり、防護カバーとノブの組合せの全体の外観が良くされたことを特徴とする、ドアハンドルの防護カバー。
【請求項３】
　請求項１記載のドアハンドルの防護カバーにおいて、防護カバーの両端の特定範囲の環状面積部分のシリコーンゴム材料内に、蛍光物質が加えられて二つの環状の蛍光帯が形成され、防護カバーが光線のない暗闇中で、その前後の開口口縁の環状の蛍光帯の発生する蛍光により、ドアハンドルのノブ位置を知らせることを特徴とする、ドアハンドルの防護カバー。
【請求項４】
　請求項１記載のドアハンドルの防護カバーにおいて、防護カバーがドアハンドルのノブ或いはハンドルレバーに適用する形状に形成されたことを特徴とする、ドアハンドルの防護カバー。
【考案の詳細な説明】
【技術分野】
【０００１】
　本考案は一種のドアハンドルの防護カバー、特に、弾性シリコーンゴム製の防護カバーに関するものである。
【背景技術】
【０００２】
　一般に多くのドアハンドルのドアノブは金属加圧成形され、且つその外表を美しくするため、ほとんどは滑らかな外表を有し、手部でノブを握持する時に良好な触感を提供する。
【考案の開示】
【考案が解決しようとする課題】
【０００３】
　しかし上述のドアハンドルのノブは、手部が濡れている時、特に浴室で沐浴する時やトイレで手を洗った後に手の一部に水気が残っている時などに、滑らかな表面のノブを握持すると、手部とノブの間に空滑りが発生してドアを開けにくくなる状況が発生する。また、ほとんどのノブは外観と質感を良くするために、ノブにワニス或いは電気メッキ処理が施されているが、このような二種類の方式は外観を良くすることはできても、引っかき傷を受けやすく、且つある期間使用すると、ワニス或いは電気メッキ層が剥離する状況が発生し、外観に影響が生じ並びにこのような地区では気候の因子により人を悩ませる静電気が発生しやすい。且つ、一般に周知のドアハンドルのノブ或いはハンドルレバーは、突然の停電時或いは突発事件による停電時に緊急にドアを開けたい時、暗闇でも識別できる機能を有していない。ゆえに本考案はこのような従来のドアハンドルの欠点を解決するドアハンドルの防護カバーを提供するものである。
【課題を解決するための手段】
【０００４】
　請求項１の考案は、ドアハンドルの防護カバーにおいて、該防護カバーが弾性シリコーンゴムで形成されて前後の開口を具え、ドアハンドルのノブが後ろ開口より挿入され、防護カバーがノブの外側に緊合され、保護機能を達成し、該防護カバーの外表面に複数の防滑凸紋が配設されて手でノブを握持し回す時の空滑りを防止し、防護カバーの内部環状面に少なくとも一周の環状溝が設けられて防護カバーが異なる曲面のノブに套設される時に良好な伸縮性を以てノブと緊合することを特徴とする、ドアハンドルの防護カバーとしている。
　請求項２の考案は、請求項１記載のドアハンドルの防護カバーにおいて、防護カバーの前開口の口縁に装飾性を具えた装飾線条設計があり、防護カバーとノブの組合せの全体の外観が良くされたことを特徴とする、ドアハンドルの防護カバーとしている。
　請求項３の考案は、請求項１記載のドアハンドルの防護カバーにおいて、防護カバーの両端の特定範囲の環状面積部分のシリコーンゴム材料内に、蛍光物質が加えられて二つの環状の蛍光帯が形成され、防護カバーが光線のない暗闇中で、その前後の開口口縁の環状の蛍光帯の発生する蛍光により、ドアハンドルのノブ位置を知らせることを特徴とする、ドアハンドルの防護カバーとしている。
　請求項４の考案は、請求項１記載のドアハンドルの防護カバーにおいて、防護カバーがドアハンドルのノブ或いはハンドルレバーに適用する形状に形成されたことを特徴とする、ドアハンドルの防護カバーとしている。
【考案の効果】
【０００５】
　本考案のドアハンドルの防護カバーは弾性シリコーンゴム製とされ、前後の開口を具え、ドアハンドルのノブが後ろ開口より挿入されて防護カバーとノブ外部に緊合し、保護機能を形成し、該防護カバーの外表面に複数の防滑凸紋が設けられて手でノブを握持し回す時の空滑りを防止し、ノブを回す時に良好な触感を提供し冷たい感覚を発生させず、静電気を防止し且つ防護カバーの前開口の口縁に装飾線条設計があり、防護カバーとノブの組合せの全体の外観が良くされ、防護カバーの前後の開口の口縁の特定範囲面積部分のシリーンゴム材料内に蛍光物質が含まれ、防護カバーが暗闇でも前後の開口口縁より発生する環状蛍光帯により、ノブ位置を知らせ、防護カバーの内部環状面に少なくとも一周の環状溝が設けられて防護カバーが異なる曲面のノブに套設される時に良好な伸縮性を以てノブと緊合する。
【考案を実施するための最良の形態】
【０００６】
　図１、２、３に示されるように、本考案のドアハンドルの防護カバー１は、弾性シリコーンゴムで形成され、該防護カバー１は前開口１２と後ろ開口１１を具え、ドアハンドル２のノブ２１後ろ開口１１より挿入され、防護カバー１がノブ２１外部に緊合され、保護機能を達成する。該防護カバー１の外表面に複数の防滑凸紋１３が配設されて手でドアハンドル２のノブ２１を握持し回す時の空滑りを防止し、並びにノブ２１を回す時に良好な触感を提供し冷たい感覚を発生させず並びに静電気を防止する。且つ防護カバー１の前開口１２の口縁に装飾性を具えた装飾線条１２設計が設けられ、これにより防護カバー１とノブ２１の組合せの全体の外観が良くされている。また、防護カバー１の前開口１２と後ろ開口１１の口縁の特定範囲の環状面積部分のシリコーンゴム材料内に蛍光物質が添加され、これにより二つの環状の蛍光帯１５が形成され、これにより防護カバー１が光線のない暗闇でも前後の開口口縁の蛍光帯１５の発生する環状蛍光により、ノブ２１位置を知らせることができる。このほか、防護カバー１の内部環状面に少なくとも一周の環状溝１４が設けられて防護カバー１が異なる曲面のノブ３１に套設される時に良好な伸縮性を以てノブ３１と緊合する効果を達成する（図４及び図５参照。）
【０００７】
　本考案の防護カバー１は各種のドアハンドルのハンドル形状により必要な形態に形成されうる。前述の環状カバー状の防護カバー１のほか、ハンドルレバー４１を具えたドアハンドル４に使用される場合は、中央に嵌め孔５１を具えた長管状の防護カバー５とされ、該ハンドルレバー４１に套設されて保護機能を達成する。この防護カバー５の外表面には複数の防滑凸紋５３が配設されて手でドアハンドル４のハンドルレバー４１を握持し回す時の空滑りを防止し、並びにハンドルレバー４１を回す時に良好な触感を提供し冷たい感覚を発生させない。且つ防護カバー５の一端或いは両端に、装飾性を具えた装飾線条５２設計が設けられ、これにより防護カバー５とハンドルレバー４１の組合せの全体の外観が良くされている（図６及び図７参照）。また、この防護カバー５は湾曲ハンドルレバー６１を具えたドアハンドル６にも適用される（図８及び図９参照）。このほか、防護カバー５の両端の特定範囲の環状面積部分のシリコーンゴム材料内に蛍光物質が添加され、これにより二つの環状の蛍光帯５５が形成され、これにより防護カバー５が光線のない暗闇でも二つの環状の蛍光帯５５の発生する環状蛍光により、ドアハンドル４、６のハンドルレバー４１、湾曲ハンドルレバー６１の位置を知らせることができる。
【図面の簡単な説明】
【０００８】
【図１】本考案のノブと防護カバーの分解斜視図である。
【図２】本考案のノブと防護カバーの組合せ斜視図である。
【図３】本考案の防護カバーの断面図である。
【図４】本考案の異なる曲面のノブと防護カバーの分解斜視図である。
【図５】本考案の異なる曲面のノブと防護カバーの組合せ斜視図である。
【図６】本考案のハンドルレバーと防護カバーの分解斜視図である。
【図７】本考案のハンドルレバーと防護カバーの組合せ斜視図である。
【図８】本考案の別の湾曲ハンドルレバーと防護カバーの分解斜視図である。
【図９】本考案の湾曲ハンドルレバーと防護カバーの組合せ斜視図である。
【符号の説明】
【０００９】
１、５　防護カバー
１１　後ろ開口
１２　前開口
１２１、５２　装飾線条
１３、５３　防滑凸紋
１４　環状溝
１５、５５　蛍光帯
２、３、４、６　ドアハンドル
２１、３１　ノブ
４１、６１　ハンドルレバー
５１　嵌め孔
【図１】
0003099042.tif 000003
【図２】
0003099042.tif 000004
【図３】
0003099042.tif 000005
【図４】
0003099042.tif 000006
【図５】
0003099042.tif 000007
【図６】
0003099042.tif 000008
【図７】
0003099042.tif 000009
【図８】
0003099042.tif 000010
【図９】
0003099042.tif 000011